(57)【特許請求の範囲】
【請求項１】
起立状態に載置した卓上カレンダー上に同様の起立状態に載置される備忘録等支持体であって、
卓上カレンダーを構成する暦を表示した暦表示片や付箋紙やメモ紙等の備忘録等を、卓上カレンダーを視認する方向から視認可能な状態で支持する備忘録等支持体において、
備忘録等支持体は、支持本片と溝部と取付片とを有し、
支持本片は、備忘録等を面接触させて凭れかけることができるように板状に形成し、
溝部は、支持本片の下縁部に沿って延伸する樋状に形成して、溝部中に暦表示片やメモ紙等の備忘録等の下端縁部を挿入可能となし、
取付片は、その上端縁部と溝部の前側上端縁部との接続部を、卓上カレンダーへの係合部となして、係合部を介して卓上カレンダーに着脱自在に取り付け可能となした
備忘録等支持体。
【発明の詳細な説明】
【技術分野】
【０００１】  本発明は、卓上カレンダーに着脱自在に取り付けて、備忘録等を支持する備忘録等支持体及び備忘録支持体を具備する卓上カレンダーに関するものである。ここでの備忘録等とは、メモ紙や付箋等に記入した備忘録や１ヶ月分の暦表示片等の確認表示片である。
【背景技術】
【０００２】  従来、卓上カレンダーの一形態として特許文献１に開示されたものがある。すなわち、特許文献１には、重ね合わせた複数の暦表示片を出し入れ自在に収納する暦表示片ケースと、暦表示片ケースを設置面上に起立状態に支持する左右一対の支持片と、暦表示片ケースの背面上部に設けられた暦表示片支持部とからなる卓上カレンダーが開示されている。
暦表示片支持部には、前月の暦表示片の下部を着脱可能に保持させて、この前月の暦表示片と暦表示片ケース内に収容されている今月の暦表示片とが上下段位置にて同一視界内に配置されるようにしている。
【先行技術文献】
【特許文献】
【０００３】
【特許文献１】実用新案登録第３１４７４０５号公報
【発明の概要】
【発明が解決しようとする課題】
【０００４】  ところが、特許文献１に開示された卓上カレンダーは、二ヶ月分の暦表示片を上下段に配置することができるものの、メモ紙や付箋等の備忘録を堅実に支持させることができないという不具合がある。仮に、今月以外の暦表示片に備忘録を貼付することができるとしても、備忘録が貼付された暦表示片では、暦が見辛くなるという不具合がある。【０００５】  そこで、本発明は、上記した課題を解決すべく、備忘録等を支持する備忘録等支持体を提供することを目的とする。
【課題を解決するための手段】
【０００６】  上記した目的を達成するために、本発明に係る備忘録等支持体は、起立状態に載置した卓上カレンダー上に起立状態に載置されて、卓上カレンダーを構成する暦を表示した暦表示片や付箋紙やメモ紙等の備忘録等を、卓上カレンダーを視認する方向から視認可能な状態で支持するものとなした。
しかも、備忘録等支持体は、支持本片と溝部と取付片とを有しており、支持本片は、備忘録等を面接触させて凭れかけることができるように板状に形成し、溝部は、支持本片の下縁部に沿って延伸する樋状に形成して、溝部中に暦表示片やメモ紙等の備忘録等の下端縁部を挿入可能となし、取付片は、その上端縁部と溝部の前側上端縁部との接続部を、卓上カレンダーへの係合部となして、係合部を介して卓上カレンダーに着脱自在に取り付け可能となした。
【発明の効果】
【０００８】  本発明によれば、既存の卓上カレンダーに新たに手を加える（加工等を施す）ことなく備忘録等支持体を着脱自在に取り付けることができる。そのため、本発明に係る備忘録等支持体は、起立状態に載置させるタイプの卓上カレンダーであれば、特定の卓上カレンダーに制限されることなく、任意の卓上カレンダーに簡単に取り付けることができる。しかも、かかる備忘録等支持体には、全ての備忘録を集約的に貼付することができるため、備忘録が卓上に散在することがなくなるとともに、備忘録の紛失を回避することができる。【０００９】  そして、備忘録等支持体に集約的に貼付した備忘録は、全て卓上カレンダーを視認した際の視界内に配置することで、備忘録の見落としをなくすこともできる。また、備忘録等支持体には、前の月又は次の月の１ヶ月分の暦表示片を支持させることで、卓上カレンダーに配置された今月の暦表示片と合わせた２ヶ月分の暦表示片を同時に視認することもできる。
【図面の簡単な説明】
【００１１】
【図１】本発明に係る第１実施形態としての卓上カレンダーと備忘録等支持体の斜視図である。
【図２】第１実施形態としての卓上カレンダーと備忘録等支持体の側面断面図である。
【図３】第１実施形態としての卓上カレンダーと備忘録等支持体の取付説明斜視図である。
【図４】第２実施形態としての卓上カレンダーと備忘録等支持体の斜視図である。
【図５】第２実施形態としての卓上カレンダーと備忘録等支持体の側面断面図である。
【図６】第２実施形態としての卓上カレンダーと備忘録等支持体の取付説明斜視図である。
【図７】第３実施形態としての卓上カレンダーと備忘録等支体の斜視図である。
【図８】第３実施形態としての卓上カレンダーと備忘録等支持体の側面断面図である。
【図９】第３実施形態としての卓上カレンダーと備忘録等支持体の取付説明斜視図である。
【図１０】本発明に係る備忘録等支持体付卓上カレンダーの斜視図である。
【図１１】備忘録等支持体付卓上カレンダーの側面断面図である。
【発明を実施するための形態】
【００１２】  以下、本発明を実施するための形態を図面に基づいて説明する。
すなわち、本発明に係る備忘録等支持体と卓上カレンダーが別体型である第１〜第３実施形態と、備忘録等支持体と卓上カレンダーが一体型である備忘録等支持体付卓上カレンダーの実施形態について詳細に説明する。
【００１３】［備忘録等支持体の第１実施形態について］
図１〜図３は本発明に係る第１実施形態を示している。第１実施形態は、卓上カレンダー（Ｂ）に備忘録等を支持する備忘録等支持体（Ａ）を着脱自在に取り付けている。
卓上カレンダー（Ｂ）は、暦表示片ケース（Ｂ１）と暦表示片（Ｂ２）と支持片（Ｂ４）とを備えている。暦表示片ケース（Ｂ１）は、月毎の暦が表示された四角形板状の暦表示片（Ｂ２）を複数枚（例えば、１月分〜１２月分の１２枚）収容可能な四角形薄肉箱型に形成している。そして、暦表示片ケース（Ｂ１）は、その上端部に上方へ開口する上端開口部（Ｂ３）を形成して、上端開口部（Ｂ３）の上方から暦表示片（Ｂ２）を出し入れ自在となしている。また、暦表示片ケース（Ｂ１）は、その前面（正面）側を大きく開口する前面開口部（Ｂ５）を形成して、前面開口部（Ｂ５）を通して最前列に収用された暦表示片（Ｂ）の前面の大部分を露出状態となしている。つまり、最前列の暦表示片（Ｂ）の前面は、大部分が前方から視認可能となしている。支持体（Ｂ４）は、暦表示片ケース（Ｂ１）の背面の左右側部に一対が取り付けられており、設置面（Ｔ）上に暦表示片ケース（Ｂ１）を後傾姿勢に起立する状態に保つ支持手段として機能している。
【００１４】  備忘録等支持体（Ａ）は、支持本片（Ａ１）と取付片（Ａ２）と溝部（Ａ３）とを有している。支持本片（Ａ１）は、四角形板状に形成して、その下縁部に溝部（Ａ３）を介して取付片（Ａ２）を一体成形している。取付片（Ａ２）は、表示片ケース（Ｂ１）の上端開口部（Ｂ３）に挿入可能なように、上端開口部と略同一横幅の四角形板状に形成している。溝部（Ａ３）は、取付片（Ａ２）と支持本片（Ａ１）の間に介設して、側面視Ｖ字型（凹条）の樋状に形成している。溝部（Ａ３）と支持本片（Ａ１）は、取付片（Ａ２）の横幅（左右幅）と同一幅に形成している。取付片（Ａ２）の上端縁部と溝部（Ａ３）の前側上端縁部との接続部は、表示片ケース（Ｂ１）への備忘録等支持体（Ａ）の係合部となしている。備忘録等支持体（Ａ）の材質は、軽量性と備忘録等を堅実に支持する剛性と加工容易性とを有するものであれば、合成樹脂、金属、紙等のいずれかを適宜採択することができる。
【００１５】  卓上カレンダー（Ｂ）に備忘録等支持体（Ａ）を取り付ける際には、卓上カレンダー（Ｂ）の上端開口部（Ｂ３）に備忘録等支持体（Ａ）の取付片（Ａ２）を上方から挿入して係合させる。すると、備忘録等支持体（Ａ）は、卓上カレンダー（Ｂ）と同様の後傾姿勢に保持される。
【００１６】  備忘録等支持体（Ａ）を使用する際には、図１に示すように、備忘録等支持体（Ａ）の支持本片（Ａ１）にメモ紙（ｍ）や暦表示片（Ｂ２）等の備忘録等を面接触させて凭れかけるとともに、溝部（Ａ３）に備忘録等の下端縁部を挿入して配置する。そうすると、支持本片（Ａ１）により、備忘録等を起立状態にて堅実に支えることができる。したがって、今月の暦表示片（Ｂ２）と備忘録等を前方から同一視界内で同時に視認することができる。この際、支持本片（Ａ１）には、図１に示すように、付箋紙（ｆ）を貼っておくこともできる。
【００１７】［備忘録等支持体の第２実施形態について］
図４〜図６は本発明に係る第２実施形態を示している。卓上カレンダー（Ｄ）と備忘録等支持体（Ｃ）の基本的構成は、前記した第１実施形態の卓上カレンダー（Ｂ）と備忘録等支持体（Ａ）と同様であるが、以下の点において相違する。
【００１８】  すなわち、第２実施形態の卓上カレンダー（Ｄ）と第１実施形態の卓上カレンダー（Ｂ）は、それらが具備する暦表示片ケース（Ｄ１）と暦表示片ケース（Ｂ１）の構成が相互に異なっている。具体的に説明すると、暦表示片ケース（Ｄ１）は、左右側側端部にそれぞれ左右側方へ開口する側端開口部（Ｄ３、Ｄ３）を形成して、いずれか一方の側端開口部（Ｄ３）の側方から暦表示片（Ｂ２）を出し入れ自在となしている。また、暦表示片ケース（Ｂ１）は、その前面（正面）側を大きく開口する四角形状の前面開口部（Ｄ５）を形成して、前面開口部（Ｄ５）を通して最前列に収用された暦表示片（Ｂ）の前面の大部分を露出状態となしている。このように形成された暦表示片ケース（Ｄ１）の上・下部には、それぞれ左右方向に直状に延伸するレール状の上・下縁部（Ｄ６、Ｄ６）が形成されている。
【００１９】  上記のように形成された上縁部（Ｄ６）には、備忘録等支持体（Ｃ）の取付片（Ｃ２）を上方から嵌合させることで、暦表示片ケース（Ｄ１）に備忘録等支持体（Ｃ）を着脱自在に取り付け可能としている。すなわち、取付片（Ｃ２）は、上縁部（Ｄ６）に上方から嵌合可能なように、側面視にて、下向き開口のコの字型に形成している。そうすることで、卓上カレンダー（Ｄ）の上縁部に取付片（Ｃ２）を上方から嵌合させることで、備忘録等支持体（Ｃ）を卓上カレンダー（Ｄ）上に載置することができるようにしている。
【００２０】［備忘録等支持体の第３実施形態について］
図７〜図９は本発明に係る第３実施形態を示している。備忘録等支持体（Ｅ）の基本的構成は、前記した第１実施形態の卓上カレンダー（Ｂ）と備忘録等支持体（Ａ）と同様であるが、以下の点において相違する。
【００２１】  すなわち、第１実施形態との違いは、卓上カレンダー（Ｆ）がいわゆるリング式卓上カレンダーである点にある。すなわち、リング式の卓上カレンダー（Ｆ）は、設置面（Ｔ）上に自立可能な二等辺三角形筒状に形成された暦表示片支持体（Ｆ１）と、この暦表示片支持体（Ｆ１）の上頂端縁部に固定状態に取り付けられた複数個のリング（Ｒ）と、このリング（Ｒ）を介して上端縁部が取り付けられた複数枚の暦表示片（Ｆ２）とから構成している。暦表示片支持体（Ｆ１）は、正面（前面）が前低後高の後傾面に形成されるとともに、背面（後面）が前高後低の前傾面に形成され、底面が平坦面に形成されている。そして、各暦表示片（Ｆ２）は、リング（Ｒ）を介して暦表示片支持体（Ｆ１）の正面側に取り付け配置されて、正面側から視認し易すい後傾姿勢に保持されている。また、各暦表示片（Ｆ２）は、リング（Ｒ）に沿わせて正面側から背後側に略１８０度回転（反転）移動可能としている。
【００２２】  このように、リング式の卓上カレンダー（Ｆ）では、暦表示片ケース（Ｆ１）の上端縁部にリング（Ｒ）が固定状態に取り付けられている。そのため、暦表示片ケース（Ｆ１）の上端縁部の中央部において、隣接する一対のリング（Ｒ）とリング（Ｒ）との間に取付片挿入孔（Ｊ）を形成して、取付片挿入孔（Ｊ）に備忘録等支持体（Ｅ）の取付片（Ｅ２）を抜き差し自在に挿入可能としている。そうすることで、卓上カレンダー（Ｆ）に備忘録等支持体（Ｅ）を着脱自在に取り付け可能としている。なお、既存の暦表示片ケース（Ｆ１）では、その上端縁部の中央部において、隣接する一対のリング（Ｒ）とリング（Ｒ）との間に取付片挿入孔（Ｊ）をカッター等で切削することで容易に形成することができる。この際、取付片挿入孔（Ｊ）の切削幅は、後述する備忘録等支持体（Ｅ）の取付片（Ｅ２）の下部幅と整合させて、この取付片（Ｅ２）の下部を取付片挿入孔（Ｊ）中に挿入可能とする。
【００２３】  備忘録等支持体（Ｅ）の取付片（Ｅ２）は、第１実施形態の取付片（Ａ２）と基本的形状を同じくしているが、上部と下部からなる正面視略Ｔ字状に形成して、下部を取付片挿入孔（Ｊ）と略同一幅の細幅に形成して、取付片挿入孔（Ｊ）中に抜き差し自在に挿入可能としている。
【００２４】  上記した第１〜第３実施形態のように、卓上カレンダー（Ｂ，Ｄ，Ｆ）の構成に適応させて備忘録等支持体（Ａ，Ｃ，Ｅ）の取付片（Ａ２，Ｃ２，Ｅ２）を形成することで、卓上カレンダー（Ｂ，Ｄ，Ｆ）に取付片（Ａ２，Ｃ２，Ｅ２）を介して備忘録等支持体（Ａ，Ｃ，Ｅ）を着脱自在に取り付けている。換言すると、卓上カレンダーに取付片を介して備忘録等支持体を着脱自在に取り付け可能であれば、取付片の形状は本実施形態に限られるものではない。
【００２５】  このようにして、あらゆる形態の卓上カレンダーに備忘録等支持体を着脱自在に取り付けることができる。すなわち、起立状態に載置した卓上カレンダーの上端縁部に、備忘録等支持体の下端縁部を上下方向に抜き差し自在に挿入又は嵌合して、卓上カレンダーから上方へ延伸する同一仮想面上に備忘録等支持体を起立状態に載置することができる。そのため、卓上カレンダーの設置スペースを増大させること無く、備忘録等の一覧表示と暦表示片をコンパクトに配置することができるとともに、これらを同時に視認することができる。
【００２６】［備忘録等支持体付卓上カレンダーの実施形態について］
図１０〜図１１は本発明に係る備忘録等支持体付卓上カレンダー（Ｋ）を示している。備忘録等支持体付卓上カレンダー（Ｋ）は、第１実施形態と同様に形成された卓上カレンダー（Ｈ）と備忘録等支持体（Ｇ）を一体的に成形している。そのため、備忘録等支持体（Ｇ）には、第１実施形態の取付片（Ａ２）に相当する取付片を設ける必要がない。
【符号の説明】
【００２７】Ａ、Ｃ、Ｅ、Ｇ              備忘録等支持体
Ａ１、Ｃ１、Ｅ１、Ｇ１      支持本片
Ａ２、Ｃ２、Ｅ２、Ｇ２      取付片
Ａ３、Ｃ３、Ｅ３、Ｇ３      溝部
Ｂ、Ｄ、Ｆ、Ｈ              卓上カレンダー
Ｋ                          備忘録等支持体付卓上カレンダー
Ｂ１、Ｄ１、Ｆ１、Ｈ１      暦表示片ケース
Ｂ２、Ｄ２、Ｆ２、Ｈ２      暦表示片
Ｂ３、Ｈ３                  上端開口部
Ｄ３                        側端開口部
Ｂ４、Ｄ４、Ｆ４、Ｈ４      支持片
Ｂ５、Ｄ５、    、Ｈ５      前面開口部
Ｄ６                        上下縁部
Ｒ                          リング
Ｊ                          取付片挿入孔
ｍ                          メモ紙
ｆ                          付箋紙
Ｔ                          設置面
【図１】
0006976514.tif 000002
【図２】
0006976514.tif 000003
【図３】
0006976514.tif 000004
【図４】
0006976514.tif 000005
【図５】
0006976514.tif 000006
【図６】
0006976514.tif 000007
【図７】
0006976514.tif 000008
【図８】
0006976514.tif 000009
【図９】
0006976514.tif 000010
【図１０】
0006976514.tif 000011
【図１１】
0006976514.tif 000012